(57)【特許請求の範囲】
【請求項１】
少なくとも着用者の目の部分を開口した目出し部を有し、着用者の頭部および首を覆う頭被覆部と、
その頭被覆部と一体化され、着用者の胸元および肩を覆う胴体被覆部と、
その胴体被覆部と一体化され、着用者の腕を覆う袖部と、
前記頭被覆部、前記胴体被覆部および前記袖部を開口部から内部に収納可能な袋部と、を備え、
前記頭被覆部は、首の後ろ側を覆う背部を備え、
前記胴体被覆部は、着用者の背中の一部を覆う背中部を備え、
前記袋部は、前記背中部または前記背部の着用者側に設けられ、前記背中部側または前記背部側と比較して着用者側が薄く形成されることを特徴とする日焼け防止用上着。
【請求項２】
前記袋部は、前記開口部の着用者側が前記背中部または前記背部に取り付けられることを特徴とする請求項１記載の日焼け防止用上着。
【発明の詳細な説明】
【技術分野】
【０００１】
本発明は日焼け防止用上着に関し、快適性を確保しつつ日焼けを防止できる日焼け防止用上着に関するものである。
【背景技術】
【０００２】
従来、日差しの強い時や場所において日焼けを防止するために、肌の露出部分を覆う上着がある（特許文献１）。
【先行技術文献】
【特許文献】
【０００３】
【特許文献１】特開２００７−２０４９１０号公報
【発明の概要】
【発明が解決しようとする課題】
【０００４】
しかしながら、特許文献１に開示された技術では、首より上の部分が露出しているので、頭部（特に顔面）の日焼けを防止することができないという問題点がある。別途帽子などを着用することは煩わしく、帽子を着用したとしても帽子と上着との間が開いて肌が露出するおそれや、帽子と上着とが重なって暑さを感じるおそれがある。
【０００５】
本発明は上述した問題点を解決するためになされたものであり、快適性を確保しつつ日焼けを防止できる日焼け防止用上着を提供することを目的とする。
【課題を解決するための手段および発明の効果】
【０００６】
請求項１記載の日焼け防止用上着によれば、少なくとも着用者の目の部分を開口した目出し部を有する頭被覆部により着用者の頭部および首が覆われ、頭被覆部と一体化される胴体被覆部により着用者の胸元および肩が覆われ、胴体被覆部と一体化される袖部により着用者の腕が覆われる。目の周辺を除いた肌の露出部分が覆われるので、目の周辺を除いた肌の露出部分を日差しから保護して日焼けを防止できる効果がある。
【０００７】
また、頭被覆部と胴体被覆部と袖部とが一体化されるので、日焼け防止用上着の着脱を容易にできる。さらに、胴体被覆部と頭被覆部または袖部との間が開いて肌が露出することや、胴体被覆部と頭被覆部または袖部とが重なって暑さを感じることを防止できる。従って、快適性を確保しつつ日焼けを防止できる効果がある。
【０００８】
【０００９】
【００１０】
胴体被覆部は着用者の背中の一部を覆う背中部を備えているので、背中の一部を日差しから保護して日焼けを防止できる効果がある。
【００１１】
また、頭被覆部は首の後ろ側を覆う背部を備え、頭被覆部、胴体被覆部および袖部を開口部から内部に収納可能な袋部が背中部または背部の着用者側に設けられるので、頭被覆部、胴体被覆部および袖部を袋部に入れて収納できると共に持ち運びできる。さらに、袋部が背中部または背部に設けられるので、着用時に袋部の紛失を防止できる効果がある。
【００１２】
また、袋部には保冷剤や小物などを入れることができる。袋部に保冷剤を入れた場合、着用者の背中または首を冷やすことができるので、快適性を向上できる効果がある。
【００１３】
さらに、袋部が背中部または背部の着用者側に設けられるので、外部からの熱が背中部または背部に遮られて袋部に外部からの熱を与え難くできる。外部からの熱により袋部を温まり難くできるので、袋部に入れた保冷剤などが温まることを抑制できる。よって、快適性を向上できる効果がある。
【００１４】
袋部の背中部側または背部側と比較して袋部の着用者側が薄く形成されるので、袋部の着用者側の熱の伝達をし易くできる。一方、袋部の着用者側と比較して厚く形成される袋部の背中部側または背部側は、熱の伝達をし難くできる。袋部に保冷剤などを入れた際、袋部の背中部側または背部側からの熱により保冷剤などが温まることを抑制できると共に、着用者を冷やし易くできるので、快適性をより向上できる効果がある。
【００１５】
請求項２記載の日焼け防止用上着によれば、袋部の開口部の着用者側が背中部または背部に取り付けられるので、開口部が着用者側に垂れ下がって袋部が変形することを抑制できる。そのため、変形した袋部が背中に当たってごわつくことを低減できる効果がある。また、開口部が背中部または背部により覆われるので、請求項１の効果に加え、袋部に入れた保冷剤や小物などが開口部から不意に出ることを防止できる効果がある。
【００１６】
【図面の簡単な説明】
【００１７】
【図１】（ａ）は本発明の第１実施の形態における日焼け防止用上着を着用者が着用した状態の正面図であり、（ｂ）は日焼け防止用上着を着用者が着用した状態の背面図である。
【図２】図１（ｂ）のＩＩ−ＩＩ線における日焼け防止用上着の断面図である。
【図３】（ａ）は係止具を係止した状態の頭被覆部の斜視図であり、（ｂ）は係止具の係止を解除した状態の頭被覆部の斜視図である。
【図４】（ａ）は第２実施の形態における日焼け防止用上着を着用者が着用した状態の正面図であり、（ｂ）は日焼け防止用上着を着用者が着用した状態の背面図である。
【発明を実施するための形態】
【００１８】
以下、本発明の好ましい実施の形態について、添付図面を参照して説明する。まず、図１（ａ）及び図１（ｂ）を参照して、日焼け防止用上着１について説明する。図１（ａ）は本発明の第１実施の形態における日焼け防止用上着１を着用者が着用した状態の正面図であり、図１（ｂ）は日焼け防止用上着１を着用者が着用した状態の背面図である。なお、図１（ｂ）は胴体被覆部２０の着用者側に設けられる袋部２３が破線で図示されている。また、図１（ａ）の紙面右側を日焼け防止用上着１の左側とし、図１（ａ）の紙面左側を日焼け防止用上着１の右側とする。
【００１９】
図１（ａ）及び図１（ｂ）に示すように、日焼け防止用上着１は、日差しの強い夏場などにおいて、農作業、観光、スポーツ、スポーツ観戦など屋外で活動する場合に、服Ｓの上に重ね着して着用者の肌の露出部分を日差しから保護するための衣服である。日焼け防止用上着１は、着用者の頭部および首を覆う頭被覆部１０と、着用者の胸元（胸の上部）、肩および背中の一部を覆う胴体被覆部２０と、着用者の腕を覆う袖部３０とを備えている。袖部３０は、着用者の手のひら及び手の甲までを覆うことが可能な長さに形成されて、手のひら及び手の甲を覆った状態で手を動かせるように、親指を挿入可能な指抜き穴３１が設けられている。
【００２０】
頭被覆部１０と胴体被覆部２０とは、後述するように共通して設けられる正面部１５及び垂れ部１３ａ，１３ｂがそれぞれ一枚の布地で連続していると共に、背部１４と背中部２２とが縫い合わされて一体化される。胴体被覆部２０と袖部３０とは互いの連結部分が一枚の布地で連続して一体化される。
【００２１】
頭被覆部１０、胴体被覆部２０及び袖部３０は、紫外線遮蔽効果を有し、伸縮性があり通気性の良い薄手の布地（例えばジャージ生地）から構成される。これにより、動き易く、着用者の肌の露出部分への紫外線を遮断できると共に暑さを感じ難くできる。また、頭被覆部１０、胴体被覆部２０及び袖部３０を構成する布地は黒色であるので、紫外線を吸収し易くして紫外線遮蔽効果を向上できる。
【００２２】
頭被覆部１０は、頭部に被せられる頂部１１と、頂部１１の前方に形成される庇１２と、頂部１１の左右両端縁から下方に垂れ下がる一対の垂れ部１３ａ，１３ｂと、頂部１１の後端縁から下方に垂れ下がると共に一対の垂れ部１３ａ，１３ｂの後端縁間を塞ぐ背部１４と、垂れ部１３ａの前端縁から垂れ部１３ｂの前端縁に向かって設けられる正面部１５とを備えている。
【００２３】
庇１２は、後述する目出し部１６から露出する肌を日差しから保護するためのものであり、薄手の布地（例えばジャージ生地）の間に不織布を挟んで形成される。庇１２に弾性および柔軟性（こし）を持たせることができるので、着用時には顔面から前方に庇１２が張り出した状態を維持して顔面の日焼けを防止でき、収納時には庇１２を折り曲げて後述する袋部２３に収納できる。さらに、庇１２はこしのある布製なので、庇１２を取り外すことなく洗濯でき、洗濯後は形が復元する。
【００２４】
垂れ部１３ａ，１３ｂは、両耳および首の左右側を覆うものであり、庇１２の左右両端から後頭部側に向かって設けられ、前端縁間が開口して顔面が露出する。背部１４は、後頭部および首の後ろ側を覆うためのものである。
【００２５】
正面部１５は、垂れ部１３ａ，１３ｂの前端縁間の開口を小さくして鼻の一部、口、首の前側を覆うためのものである。正面部１５により鼻の一部が覆われているだけなので、正面部１５により鼻の全部が覆われている場合と比較して息苦しさを低減できる。
【００２６】
正面部１５により小さくされる垂れ部１３ａ，１３ｂの前端縁間の開口（庇１２と正面部１５との間の開口）が目出し部１６であり、目出し部１６から目および目の周辺の肌が露出する。なお、正面部１５及び垂れ部１３ａ，１３ｂは、首元より下の部分が胴体被覆部２０の一部である。
【００２７】
正面部１５と垂れ部１３ａの前端縁とは布地が連続し、正面部１５と垂れ部１３ｂの前端縁との間は切れ目１７により布地が不連続である。切れ目１７は、正面視において目出し部１６の左端部から着用者の体の中心線Ｃへ向かいつつ口よりも左側を通って設けられる。切れ目１７の下端側（胸元付近）では、正面部１５と垂れ部１３ｂとが接続部１９により繋がっている。
【００２８】
胴体被覆部２０は、肩を覆う肩部２１と、背中の腋より上の部分を覆う背中部２２とを備え、正面部１５及び垂れ部１３ａ，１３ｂにより胸元が覆われ、肩部２１から正面部１５にかけて胴体被覆部２０が円弧状に湾入する。胸周りの突っ張りを低減できると共に、胴体被覆部２０が腋より下に垂れ下がって着用者にまとわりつくことを防止できるので、着用時に動き易くできる。また、腋が開放していると共に胴体被覆部２０と服Ｓとの重なりを少なくできるので、着用時に暑さを感じ難くできる。
【００２９】
胴体被覆部２０は、肩部２１と背中部２２との連結部分が一枚の布地で連続して一体化され、正面部１５及び垂れ部１３ａ，１３ｂと肩部２１とが縫い合わされて一体化される。背中部２２は、着用者側の上端側に袋部２３が設けられる。
【００３０】
次に、図２を参照して、袋部２３について説明する。図２は図１（ｂ）のＩＩ−ＩＩ線における日焼け防止用上着１の断面図である。なお、図２の紙面左側には着用者が模式的に図示されている。
【００３１】
袋部２３は、頭被覆部１０、胴体被覆部２０及び袖部３０を開口部２４から内部に収納することで、日焼け防止用上着１をコンパクトにして持ち運んだり片付けたりするためのものである。矩形状の布である第１布２３ａ及び第２布２３ｂを互いに重ねて開口部２４を残しつつ縫い合わせることで袋部２３が形成される。
【００３２】
図２に示すように、袋部２３は、開口部２４の端縁に開口部２４を開閉自在にするためのスライドファスナ２５を備え、日焼け防止用上着１の着用時には第１布２３ａが着用者側に位置して第２布２３ｂが背中部２２側に位置し、背中部２２により袋部２３が隠れて外部から見えなくなる。第２布２３ｂは、吸水性を有する断熱シート２６（本実施の形態では不織布）を内側に設けることで、第１布２３ａより断熱シート２６分だけ袋部２３の第２布２３ｂ側が厚くなる。
【００３３】
頭被覆部１０の背部１４と胴体被覆部２０の背中部２２とを縫い合わせる際に併せて袋部２３の開口部２４の第１布２３ａ側（第１布２３ａの内側）の辺（スライドファスナ２５より内側）を背中部２２の裏面（着用者側）に縫い合わせる。これにより、袋部２３を背中部２２に取り付ける際の工程を省略できる。また、袋部２３が背中部２２に取り付けられるので、着用時に袋部２３を紛失しないようにできる。さらに、スライドファスナ２５より内側が縫われているので、頭被覆部１０、胴体被覆部２０及び袖部３０を袋部２３の内部に収納した場合にスライドファスナ２５を閉じることができる。
【００３４】
次に、図３（ａ）及び図３（ｂ）を参照して、頭被覆部１０の係止具１８の着脱について説明する。図３（ａ）は係止具１８を係止した状態の頭被覆部１０の斜視図であり、図３（ｂ）は係止具１８の係止を解除した状態の頭被覆部１０の斜視図である。
【００３５】
図３（ａ）及び図３（ｂ）に示すように、垂れ部１３ｂの前端縁から正面部１５側に張り出した張り出し部１３ｃと正面部１５とが重ねられ、その重ねられた部分が面ファスナである係止具１８により着脱可能に係止される。接続部１９は、正面部１５と張り出し部１３ｃとを互いに重ねて縫い合わせることで、切れ目１７の下端側で正面部１５と垂れ部１３ｂとを繋ぐ。
【００３６】
正面部１５により鼻の一部および口が覆われる状態である係止具１８を係止した状態から係止具１８の係止を解除すると、正面部１５が自重により垂れ下がって口が露出される。これにより、人と会話するときや口に物を含むとき、息苦しいときなどに口の露出を容易にできる。さらに、正面部１５が胸元まで垂れ下がるので、首の汗を拭くことができる。
【００３７】
垂れ部１３ｂの前端縁から正面部１５側（庇１２の端部から前方）に張り出し部１３ｃが張り出しているので、係止具１８を有する張り出し部１３ｃを着用者から視認し易くできる。着用者が張り出し部１３ｃと正面部１５とを重ね易くできるので、係止具１８の係止を容易にできる。
【００３８】
切れ目１７の下端側が接続部１９により繋がっているので、係止具１８の係止を全て解除しても、正面部１５と垂れ部１３ｂとが完全に離れることを防止できる。切れ目１７の下端側が接続部１９により繋がっていない場合、係止具１８の係止を解除して正面部１５と垂れ部１３ｂとが完全に離れた後、再び係止具１８を係止する際には位置決めがし難い。さらに、正面部１５と垂れ部１３ｂとが完全に離れないように気を付けながら係止具１８の解除をすることは煩わしい。本実施の形態では、切れ目１７の下端側が接続部１９により繋がっているので、係止具１８を係止する際の位置決めを容易にできると共に、係止具１８の解除をする際の煩わしさを低減できる。よって、係止具１８の着脱を容易にできる。
【００３９】
正面視において口よりも左側を通って切れ目１７が設けられるので、右手の指で正面部１５の角を摘んで手前に引けば、切れ目１７の左側を垂れ下げずとも切れ目１７の右側である正面部１５を垂れ下げて口を露出できる。従って、口の露出をより容易にできる。
【００４０】
正面視において目出し部１６の左端部から切れ目１７が設けられる（正面部１５の左側の縁が切れ目１７である）ので、目出し部１６の中央部から（正面部１５の中央部に）切れ目１７を設ける場合と比較して、正面部１５の垂れ下がる部分の自重を重くできる。これにより、係止具１８の係止を解除した場合に、着用者の動きなどにより正面部１５が顔面に当たることを抑制できると共に口の露出をより容易にできる。
【００４１】
また、係止具１８（面ファスナ）が正面部１５の縁に沿って設けられるので、係止具１８がボタンなどである場合と比較して、正面部１５の自重を重くできる。さらに、面ファスナである係止具１８は、垂れ部１３ｂ及び正面部１５を構成する薄手の布地と比較して剛性が高いので、係止具１８の係止をする際に、剛性の低い薄手の布地同士をボタンなどで係止する場合と比較して、係止具１８の係止を容易にできる。
【００４２】
また、着用者の体の中心線Ｃに向かって切れ目１７が設けられるので、右手の指で正面部１５の角を摘んで係止具１８の係止を解除する際、右手を降ろす方向と係止具１８（切れ目１７）の長手方向とが略同じになるので、係止具１８の係止の解除を容易にできる。係止具１８の係止をする際も略同様に係止を容易にできるので、係止具１８の着脱を容易にできる。
【００４３】
日焼け防止用上着１によれば、目出し部１６を有する頭被覆部１０、胴体被覆部２０及び袖部３０により目の周辺を除いた肌の露出部分（頭部、首、胸元、肩、腕、手のひら及び手の甲）が覆われて日差しから保護され、庇１２により目の周辺の肌の露出部分が日差しから保護されるので、日焼けを防止できる。また、頭被覆部１０と胴体被覆部２０と袖部３０とが一体化されるので、日焼け防止用上着１の着脱を容易にできる。さらに、胴体被覆部２０と頭被覆部１０又は袖部３０との間が開いて肌が露出することや、胴体被覆部２０と頭被覆部１０又は袖部３０とが重なって暑さを感じることを防止できるので、快適性を確保しつつ日焼けを防止できる。
【００４４】
また、矩形状の布である第１布２３ａ及び第２布２３ｂを互いに重ねて縫い合わせることで袋部２３が形成されるので、袋部２３を平らにできる。第１布２３ａの辺を背中部２２に取り付けるので、日焼け防止用上着１の着用時に背中のごわつきを低減できる。
【００４５】
また、袋部２３が背中部２２の裏面の上端側に設けられるので、袋部２３に保冷剤２７を入れて首の下（背中）を冷やすことができ、快適性を向上できる。また、袋部２３の第２布２３ｂ側と比較して第１布２３ａが薄く形成されるので、第１布２３ａは熱の伝達をし易くできる。一方、第１布２３ａと比較して厚く形成される袋部２３の第２布２３ｂ側は、熱の伝達をし難くできる。袋部２３に保冷剤２７を入れた際、第２布２３ｂ側（外部）からの熱により保冷剤２７が温まることを抑制できると共に、着用者を冷やし易くできるので、快適性をより向上できる。
【００４６】
さらに、断熱シート２６により袋部２３の第２布２３ｂ側が厚く形成されるので、第２布２３ｂ側（外部）からの熱により保冷剤２７が温まることをより抑制できる。また、断熱シート２６は吸水性を有するので、結露により保冷剤２７の表面に付いた水滴を吸収できる。結露した水滴により着用者が濡れることを抑制できると共に、吸収した水分により断熱性能を向上できるので、快適性をより向上できる。
【００４７】
また、袋部２３が背中部２２により隠れるので（袋部２３が背中部２２の裏面に設けられるので）、外部からの熱が背中部２２に遮られて袋部２３に外部からの熱を与え難くできる。外部からの熱により袋部２３を温まり難くできるので、袋部２３に入れた保冷剤２７が温まることをより抑制できる。
【００４８】
また、開口部２４の第１布２３ａ側の辺が背中部２２の裏面に取り付けられるので、開口部２４が着用者側に垂れ下がって袋部２３が変形することを抑制できる。そのため、変形した袋部２３が背中に当たってごわつくことを低減できる。さらに、開口部２４が背中部２２により覆われるので、袋部２３に入れた保冷剤２７が開口部２４から不意に出ることを防止できる。
【００４９】
次に図４（ａ）及び図４（ｂ）を参照して第２実施の形態について説明する。第１実施の形態では、正面部１５が鼻の一部および口を覆い、胴体被覆部２０の背中部２２に袋部２３が設けられる場合について説明した。これに対し第２実施の形態では、正面部４３が顎の下から胸元までを覆って上下方向の長さが正面部１５よりも短く、頭被覆部４１の背部１４に袋部４６が設けられる場合について説明する。なお、第１実施の形態と同一の部分については、同一の符合を付して以下の説明を省略する。図４（ａ）は第２実施の形態における日焼け防止用上着４０を着用者が着用した状態の正面図であり、図４（ｂ）は日焼け防止用上着４０を着用者が着用した状態の背面図である。
【００５０】
図４（ａ）に示すように、日焼け防止用上着４０は、正面部４３が顎の下から胸元までを覆っている。庇１２と正面部４３との間の開口は、目出し部４４であり、目出し部４４から顔面が露出する。なお、正面部４３は、首元より上の部分が頭被覆部４１の一部であり、首元より下の部分が胴体被覆部４２の一部である。
【００５１】
正面部４３は、鼻および口を覆わないので、呼吸をし易くできる。特に、呼吸が激しくなる活動をする場合（例えば、スポーツを行う場合）、常に口を露出できるので呼吸がし易い。
【００５２】
正面部４３と垂れ部１３ａの前端縁とは布地が連続し、正面部４３と垂れ部１３ｂの前端縁とは布地が不連続である。不連続である垂れ部１３ｂと正面部４３とが重ねられ、その重ねられた部分がボタンである接続部４５により着脱可能に接続される。接続部４５の接続を解除することで、胴体被覆部４２に頭を通すことなく日焼け防止用上着４０を着脱できるので、日焼け防止用上着４０の着脱を容易にできる。また、首に風を当てたいときなどに接続部４５の一部（上のボタン）を外すことで、風通しを良くすることができる。
【００５３】
図４（ｂ）に示すように、頭被覆部４１は、背部１４の裏面（着用者側）の下端側に袋部４６が設けられる。日焼け防止用上着４０を着用しないときには、頭被覆部４１、胴体被覆部４２及び袖部３０を袋部４６の内部に収納できる。また、袋部４６に保冷剤２７を入れることで、首の後ろを冷やすことができ、快適性を向上できる。
【００５４】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記第１実施の形態では係止具１８が面ファスナである場合について説明したが、必ずしもこれに限られるものではなく、スライドファスナやボタン、ホックを係止具１８として用いることは当然可能である。
【００５５】
上記第１実施の形態では、共通して設けられる正面部１５及び垂れ部１３ａ，１３ｂがそれぞれ一枚の布地で連続していると共に背部１４と背中部２２とが縫い合わされて頭被覆部１０と胴体被覆部２０とが一体化される場合について説明したが、必ずしもこれに限られるものではなく、背部１４と背中部２２との連結部分の布地を連続させること当然可能である。また、胴体被覆部２０に胸元を覆う部分を設け、その胸元を覆う部分と、頭被覆部１０における正面部１５及び垂れ部１３ａ，１３ｂとを互いに縫い合わせることは当然可能である。また、胴体被覆部２０と袖部３０とを互いに縫い合わせて一体化することも当然可能である。
【００５６】
上記第１実施の形態では、正面視において目出し部１６の左端部から着用者の体の中心線Ｃへ向かいつつ口よりも左側を通って設けられる場合について説明したが、必ずしもこれに限られるものではなく、正面視において目出し部１６の右端部から着用者の体の中心線Ｃへ向かいつつ口よりも右側を通って切れ目１７を設けることは当然可能である。また、目出し部１６の中央部から切れ目１７を設けることや、正面視において口の前を通って切れ目１７を設けることも可能である。また、正面視において着用者の体の中心線Ｃと平行に切れ目１７を設けることも可能である。また、係止具１８の係止を解除した際に口を露出できるように、切れ目１７は少なくとも口の下まで設ければよい。このとき、切れ目１７より下では、正面部１５と垂れ部１３ｂの前端縁との布地が連続しており、その布地が連続している部分が接続部１９である。
【００５７】
上記第１実施の形態では、頭被覆部１０、胴体被覆部２０及び袖部３０を構成する布地が黒色である場合について説明したが、必ずしもこれに限られるものではなく、布地の色は適宜変更可能である。また、柄付きの布地を用いることも可能である。
【００５８】
上記実施の形態では、背中部２２の裏面の上端側、又は、背部１４の裏面の下端側に袋部２３，４６が設けられる場合について説明したが、必ずしもこれに限られるものではなく、袋部２３，４６を背中部２２又は背部１４の表面に設けることは当然可能であり、袋部２３の位置を適宜変更することも可能である。
【００５９】
上記第１実施の形態では、背部１４と背中部２２とを縫い合わせる際に併せて開口部２４の第１布２３ａ側の辺を背中部２２の裏面に縫い合わせる場合について説明したが、必ずしもこれに限られるものではなく、開口部２４の第１布２３ａ側の辺を背中部２２の裏面に縫い付けることは当然可能である。
【００６０】
上記実施の形態では、袋部２３，４６に保冷剤２７を入れる場合について説明したが、必ずしもこれに限られるものではなく、着用者が冷たく感じるものを袋部２３，４６に入れることは当然可能である。例えば、氷袋や、飲料を凍らせたものなどが挙げられる。また、袋部２３，４６をバッグの代わりにして、袋部２３，４６に携帯電話や音楽プレイヤー、財布など、保冷剤２７以外の小物を入れることも可能である。
【００６１】
上記第２実施の形態では、接続部４５がボタンである場合について説明したが、必ずしもこれに限られるものではなく、面ファスナやスライドファスナ、ホックを接続部４５として用いることは当然可能である。
【００６２】
なお、上記各実施の形態のいずれかの一部または全部を、他の実施の形態の一部または全部と組み合わせることは可能である。また、上記各実施の形態のうちの一部の構成を省略することも可能である。例えば、第１実施の形態における接続部１９を、第２実施の形態のように着脱可能に接続される接続部４５とすることは当然可能である。このとき、係止具１８と接続部４５とを連続した面ファスナとすることも可能である。
【符号の説明】
【００６３】
１，４０    日焼け防止用上着
１０，４１  頭被覆部
１６，４４  目出し部
２０，４２  胴体被覆部
２３，４６  袋部
２４        開口部
３０        袖部
【図１】
0006498490.tif 000002
【図２】
0006498490.tif 000003
【図３】
0006498490.tif 000004
【図４】
0006498490.tif 000005